Podtech/llm-jp-corpus-v4-ja_patent huggingface dataset:
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
前記ＵＥがアイドルモードにある間に、システムアクセスのための要求としてランダムアクセス要求メッセージを基地局（ＢＳ）へ送信することと、
無線リソース制御（ＲＲＣ）接続モードに入らずに前記アイドルモードに戻る前にデータを送信する無接続アクセスを前記要求が求めることのインジケーションを与えることと、
前記無接続アクセス中の前記ＵＥによる送信のために前記基地局からアップリンク承認を伴う応答を受信することと、
前記無接続アクセス中に前記ＢＳへ前記データを送信することと、無接続アクセスを前記要求が求めることの前記インジケーションは前記無接続アクセス中に前記ＢＳへ前記データを送信するときに与えられる、
解除のインジケーションの受信に伴って前記アイドルモードへ戻ることと、
前記無接続アクセス中に前記送信のアクノリッジまたは否定アクノリッジを有するページングメッセージをモニタすることと
を備える、方法。
【請求項２】
前記ランダムアクセス要求メッセージはランダムアクセスプリアンブルを備える、請求項１に記載の方法。 
【請求項３】
競合解決メッセージを前記解除の前記インジケーションとみなすことをさらに備える、請求項１に記載の方法。
【請求項４】
アクノリッジまたは否定アクノリッジが既知の時間期間後に受信されない場合にアイドルモードに戻ることをさらに備える、請求項１に記載の方法。
【請求項５】
無接続アクセスについての失敗した要求に応答して、ＲＲＣ接続モードに入ることでデータを送信するためにシステムアクセスのための要求を送信することをさらに備える、請求項１に記載の方法。
【請求項６】
基地局（ＢＳ）によるワイヤレス通信のための方法であって、
アイドルモードにあるユーザ機器（ＵＥ）から、システムアクセスのための要求としてランダムアクセス要求メッセージを受信することと、
前記ＵＥから、前記ＵＥがＲＲＣ接続モードに入らずに前記アイドルモードに戻る前にデータを送信するための無接続アクセスを前記要求が求めることのインジケーションを受信することと、
前記ＵＥへ、前記無接続アクセス中の前記ＵＥによる送信のために前記ＢＳからのアップリンク承認を伴う応答を送信することと、
前記無接続アクセス中に前記ＵＥからの前記データを受信することと、無接続アクセスを前記要求が求めることの前記インジケーションは前記無接続アクセス中に前記データを受信するときに受信される、
前記無接続アクセス中に前記ＵＥから受信されたメッセージを保存することと、
保存された前記メッセージをコアネットワークへ転送することと、
転送された前記メッセージの否定アクノリッジが前記コアネットワークから受信された場合、前記ＵＥへページングメッセージを送信することと
を備える、方法。
【請求項７】
競合解決メッセージを前記無接続アクセスの解除のインジケーションとして送信することをさらに備える、請求項６に記載の方法。
【請求項８】
前記コアネットワークから、転送された前記メッセージのうちの１つまたは複数のもののアクノリッジを有するページング要求を受信することと、
前記アクノリッジとともに前記ページングメッセージを前記ＵＥへ送信することと
をさらに備える、請求項６に記載の方法。
【請求項９】
転送された前記メッセージの前記否定アクノリッジが前記コアネットワークから受信された場合にだけ前記ＵＥへ前記ページングメッセージが送信されることをさらに備える、請求項６に記載の方法。
【請求項１０】
ユーザ機器（ＵＥ）によるワイヤレス通信のための装置であって、
前記ＵＥがアイドルモードにある間に、システムアクセスのための要求としてランダムアクセス要求メッセージをＢＳへ送信するための手段と、
無線リソース制御（ＲＲＣ）接続モードに入らずに前記アイドルモードに戻る前にデータを送信する無接続アクセスを前記要求が求めることのインジケーションを与えるための手段と、
前記無接続アクセス中の前記ＵＥによる送信のために前記ＢＳからのアップリンク承認を伴う応答を受信するための手段と、
前記無接続アクセス中に前記ＢＳへ前記データを送信するための手段と、無接続アクセスを前記要求が求めることの前記インジケーションは前記無接続アクセス中に前記ＢＳへ前記データを送信するときに与えられる、
解除のインジケーションの受信に伴って前記アイドルモードへ戻るための手段と、
前記無接続アクセス中に前記送信のアクノリッジまたは否定アクノリッジを有するページングメッセージをモニタするための手段と
を備える、装置。
【請求項１１】
前記ランダムアクセス要求メッセージはランダムアクセスプリアンブルを備える、請求項１０に記載の装置。
【請求項１２】
無接続アクセスについての失敗した要求に応答して、ＲＲＣ接続モードに入ることでデータを送信するためにシステムアクセスのための要求を送信するための手段をさらに備える、請求項１０に記載の装置。
【請求項１３】
基地局（ＢＳ）によるワイヤレス通信のための装置であって、
アイドルモードにあるユーザ機器（ＵＥ）から、システムアクセスのための要求としてランダムアクセス要求メッセージを受信するための手段と、
前記ＵＥから、前記ＵＥがＲＲＣ接続モードに入らずに前記アイドルモードに戻る前にデータを送信するための無接続アクセスを前記要求が求めることのインジケーションを受信するための手段と、
前記ＵＥへ、前記無接続アクセス中の前記ＵＥによる送信のために前記ＢＳからのアップリンク承認を伴う応答を送信するための手段と、
前記無接続アクセス中に前記ＵＥからの前記データを受信するための手段と、無接続アクセスを前記要求が求めることの前記インジケーションは前記無接続アクセス中に前記データを受信するときに受信される、
前記無接続アクセス中に前記ＵＥから受信されたメッセージを保存するための手段と、
保存された前記メッセージをコアネットワークへ転送するための手段と、
転送された前記メッセージの否定アクノリッジが前記コアネットワークから受信された場合、前記ＵＥへページングメッセージを送信するための手段と
を備える、装置。
【請求項１４】
前記コアネットワークから、転送された前記メッセージのうちの１つまたは複数のもののアクノリッジを有するページング要求を受信するための手段と、
前記アクノリッジとともに前記ページングメッセージを前記ＵＥへ送信するための手段と
をさらに備える、請求項１３に記載の装置。
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
弾性波デバイスであって、
基板と、
前記基板の上面に設けられたインターデジタルトランスデューサ（ＩＤＴ）電極と、
前記基板の上面に設けられて前記ＩＤＴ電極に接続された第１配線電極であって、第１領域及び第２領域を有する第１配線電極と、
前記基板の上面に配置された誘電体膜であって、前記第１領域において前記第１配線電極を覆って延びることがないように配置され、前記第２領域において前記第１配線電極を覆うように配置された誘電体膜と、
前記基板の上において前記第１領域に前記第１配線電極の上面を覆うように配置され、前記第２領域に前記誘電体膜の上面を覆うように配置された第２配線電極と
を含み、
前記第１配線電極は前記第２領域に切り欠きを含み、
前記第１領域と前記第２領域とが互いに近接する箇所のまわりにおいて前記誘電体膜の端から前記第２配線電極の上面へと延びる前記第２配線電極の最薄部分の厚さは、前記第２領域における前記第２配線電極の厚さよりも小さい弾性波デバイス。
【請求項２】
前記第２領域において前記第１配線電極に配置された前記誘電体膜の第１部分の厚さは、前記第１配線電極が存在しない前記基板の領域において前記基板の上面を覆う前記誘電体膜の第２部分の厚さよりも小さい請求項１の弾性波デバイス。
【請求項３】
前記誘電体膜の第１部分の厚さは、前記第２配線電極の厚さよりも小さい請求項２の弾性波デバイス。
【請求項４】
前記ＩＤＴ電極の厚さは、０．２μｍ〜０．６μｍの範囲にある請求項１の弾性波デバイス。
【請求項５】
前記第１配線電極の厚さは、０．２μｍ〜０．６μｍの範囲にある請求項４の弾性波デバイス。
【請求項６】
前記第２配線電極の厚さは、１．０μｍ〜３．０μｍの範囲にある請求項５の弾性波デバイス。
【請求項７】
前記切り欠きは、前記第１配線電極の端から前記第１領域へと延びるように設けられた櫛歯パターンを含む請求項１の弾性波デバイス。
【請求項８】
前記切り欠きはスリット形状である請求項１の弾性波デバイス。
【請求項９】
前記切り欠きは、前記第１配線電極を横切るように設けられて前記第１配線電極の上面から前記基板の上面まで延びる貫通孔を含む請求項１の弾性波デバイス。
【請求項１０】
前記切り欠きは、第１配線電極内に設けられた凹みを含む請求項１の弾性波デバイス。
【請求項１１】
アンテナデュプレクサであって、
送信フィルタと、
受信フィルタと
を含み、
前記受信フィルタ及び前記送信フィルタの少なくとも一方が、請求項１〜１０のいずれか一項の弾性波デバイスを含むアンテナデュプレクサ。
【請求項１２】
請求項１〜１０のいずれか一項の弾性波デバイスを備える弾性波フィルタを含むモジュール。
【請求項１３】
請求項１〜１０のいずれか一項の弾性波デバイスを含む通信機器。
【請求項１４】
弾性波デバイスを製造する方法であって、
基板の上面にインターデジタルトランスデューサ（ＩＤＴ）電極を形成することと、
前記基板の上面に第１配線電極を形成して前記第１配線電極を前記ＩＤＴ電極に接続することであって、前記第１配線電極は第１領域及び第２領域を有することと、
前記基板の上面に誘電体膜を形成することであって、前記誘電体膜は、前記第２領域において前記第１配線電極を覆うが、前記第１領域においては前記第１配線電極を覆って延びることがないように形成かつ配置されることと、
前記基板の上に第２配線電極を形成することと、
前記第２領域において前記第１配線電極の一部分に切り欠きを形成することと
を含み、
前記第２配線電極を形成することは、
前記第１領域に前記第２配線電極を、前記第１配線電極の上面を覆うように配置することと、
前記第２領域に前記第２配線電極を、前記誘電体膜の上面の少なくとも一部分を覆うように配置することと
を含み、
前記切り欠きを形成することは、前記第１配線電極の前記一部分に、前記第１配線電極の上面から前記基板の上面まで延びる複数の貫通孔を形成することを含む方法。
【請求項１５】
前記誘電体膜を形成することは、
前記第１配線電極が存在しない前記基板の一領域の上に第１厚さの誘電体膜を形成することと、
前記第２領域において前記第１配線電極の上に、前記第１厚さよりも小さい第２厚さの誘電体膜を形成することと
を含む請求項１４の方法。
【請求項１６】
弾性波デバイスを製造する方法であって、
基板の上面にインターデジタルトランスデューサ（ＩＤＴ）電極を形成することと、
前記基板の上面に第１配線電極を形成して前記第１配線電極を前記ＩＤＴ電極に接続することであって、前記第１配線電極は第１領域及び第２領域を有することと、
前記基板の上面に誘電体膜を形成することであって、前記誘電体膜は、前記第２領域において前記第１配線電極を覆うが、前記第１領域においては前記第１配線電極を覆って延びることがないように形成かつ配置されることと、
前記基板の上に第２配線電極を形成することと、
前記第２領域において前記第１配線電極の一部分に凹みを形成することと
を含み、
前記第２配線電極を形成することは、
前記第１領域に前記第２配線電極を、前記第１配線電極の上面を覆うように配置することと、
前記第２領域に前記第２配線電極を、前記誘電体膜の上面の少なくとも一部分を覆うように配置することと
を含む方法。
【請求項１７】
弾性波デバイスを製造する方法であって、
基板の上面にインターデジタルトランスデューサ（ＩＤＴ）電極を形成することと、
前記基板の上面に第１配線電極を形成して前記第１配線電極を前記ＩＤＴ電極に接続することであって、前記第１配線電極は第１領域及び第２領域を有することと、
前記基板の上面に誘電体膜を形成することであって、前記誘電体膜は、前記第２領域において前記第１配線電極を覆うが、前記第１領域においては前記第１配線電極を覆って延びることがないように形成かつ配置されることと、
前記基板の上に第２配線電極を形成することと、
前記第２領域において前記第１配線電極の一部分に、前記第１配線電極の端から前記第１領域へと延びる櫛歯パターンを形成することと
を含み、
前記第２配線電極を形成することは、
前記第１領域に前記第２配線電極を、前記第１配線電極の上面を覆うように配置することと、
前記第２領域に前記第２配線電極を、前記誘電体膜の上面の少なくとも一部分を覆うように配置することと
を含む方法。
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
半導体デバイスを形成する方法であって、
基板の表面を露出させるために、前記基板上に形成された誘電体層内に第１トレンチを形成することと、
前記第１トレンチの内部に多重積層構造物を形成することであって、
前記基板の前記表面を覆って第１半導体化合物層を形成すること、
前記第１半導体化合物層の上に第２半導体化合物層を形成すること、及び、
前記第２半導体化合物層の上に第３半導体化合物層を形成することを含み、前記第２半導体化合物層はエッチング剤に対して、前記第１半導体化合物層及び前記第３半導体化合物層のエッチング耐性よりも低いエッチング耐性を有する、多重積層構造物を形成することと、
少なくとも前記第２半導体化合物層及び前記第３半導体化合物層を部分的に露出させるために、前記誘電体層内に、前記第１トレンチの方向に対して実質的に垂直な方向に延びる第２トレンチを形成することと、
前記第１半導体化合物層が空隙によって前記第３半導体化合物層から分離されるように、前記第２半導体化合物層を選択的に除去することとを含む、方法。
【請求項２】
前記第１、第２及び第３半導体化合物層は、ＩＩＩ−Ｖ族半導体化合物、ＩＩ−ＶＩ族半導体化合物、ＩＩ−ＶＩ族半導体化合物、ＩＩ−ＶＩ族又はＩＩＩ−Ｖ族からの二元化合物、ＩＩ−ＶＩ族又はＩＩＩ−Ｖ族からの三元化合物、ＩＩ−ＶＩ族又はＩＩＩ−Ｖ族からの四元化合物、或いはこれらの混合物又は組み合わせで形成される、請求項１に記載の方法。
【請求項３】
前記第１半導体化合物層は、ＩｎＡｌＡｓ、ＩｎＰ、ＩｎＧａＡｓ、ＩｎＡｓ、ＩｎＳｂ、ＧａＡｓ、ＡｌＡｓ、又はＧａＳｂを含む、請求項２に記載の方法。
【請求項４】
前記第２半導体化合物層はＡｌＡｓＳｂ、ＩｎＡｌＡｓ、ＡｌＧａＡｓ、ＩｎＰ、又はＩｎＡｌＳｂを含み、前記第３半導体化合物層はＩｎＡｓ、ＩｎＧａＡｓ、ＩｎＧａＳｂ、ＩｎＰ、ＩｎＡｌＳｂ、又はＧａＳｂを含む、請求項２に記載の方法。
【請求項５】
前記第３半導体化合物層はＩｎＧａＡｓであり、前記第２半導体化合物層はＩｎＡｌＡｓである、請求項２に記載の方法。
【請求項６】
前記第２半導体化合物層を選択的に除去することは、前記第２トレンチの内部に露出した前記第２半導体化合物層のみを除去する、請求項１に記載の方法。
【請求項７】
前記第２トレンチの内部に露出した前記第３半導体化合物層の周囲全体にゲート誘電体層を形成することと、
前記ゲート誘電体層の露出面の少なくとも一部分の周囲全体に金属ゲートを形成することとを更に含む、請求項１に記載の方法。
【請求項８】
半導体デバイスであって、
基板の表面上に配置された第１誘電体区域であって、前記第１誘電体区域の上面から上方に延びた２つの対向する部分を有し、前記２つの対向する部分はその間に第１トレンチを画定している、第１誘電体区域と、
前記基板の前記表面上に配置された第２誘電体区域であって、前記第２誘電体区域の上面から上方に延びた２つの対向する部分を有し、前記２つの対向する部分はその間に第２トレンチを画定している、第２誘電体区域と、
前記第１誘電体区域と前記第２誘電体区域との間に前記基板の前記表面を覆って配置された、第１のＩＩＩ−Ｖ族半導体化合物層と、
前記第１のＩＩＩ−Ｖ族半導体化合物層の上方に配置され、かつ、空隙によって前記第１のＩＩＩ−Ｖ族半導体化合物層から分離された第２のＩＩＩ−Ｖ族半導体化合物層であって、前記第２のＩＩＩ−Ｖ族半導体化合物層の両端部は、前記第１誘電体区域の前記２つの対向する部分と、前記第２誘電体区域の前記２つの対向する部分との間に支持されている、第２のＩＩＩ−Ｖ族半導体化合物層と、
前記両端部の間の前記第２のＩＩＩ−Ｖ族半導体化合物層の露出面を包み込む、ゲート誘電体層と、
前記ゲート誘電体層の少なくとも一部分の実質的に周囲全体に配置された、金属ゲートとを備える、半導体デバイス。
【請求項９】
前記空隙は、前記第２のＩＩＩ−Ｖ族半導体化合物層の厚さの約２倍の高さを有する、請求項８に記載の半導体デバイス。
【請求項１０】
前記第２のＩＩＩ−Ｖ族半導体化合物層の前記露出面は、前記第１トレンチ及び前記第２トレンチを通じて大気に曝露されている、請求項８に記載の半導体デバイス。
【請求項１１】
前記第１及び第２のＩＩＩ−Ｖ族半導体化合物層は、ＩＩＩ−Ｖ族半導体化合物、ＩＩ−ＶＩ族半導体化合物、ＩＩ−ＶＩ族半導体化合物、ＩＩ−ＶＩ族又はＩＩＩ−Ｖ族からの二元化合物、ＩＩ−ＶＩ族又はＩＩＩ−Ｖ族からの三元化合物、ＩＩ−ＶＩ族又はＩＩＩ−Ｖ族からの四元化合物、或いはこれらの混合物又は組み合わせで形成される、請求項８に記載の半導体デバイス。
【請求項１２】
前記第１のＩＩＩ−Ｖ族半導体化合物層はＩｎＡｌＡｓ、ＩｎＰ、ＩｎＧａＡｓ、ＩｎＡｓ、ＩｎＳｂ、ＧａＡｓ、ＡｌＡｓ、又はＧａＳｂを含み、前記第２のＩＩＩ−Ｖ族半導体化合物層はＩｎＡｓ、ＩｎＧａＡｓ、ＡｌＧａＡｓ、ＩｎＰ、ＩｎＧａＳｂ、又はＡｌＳｂを含む、請求項１１に記載の半導体デバイス。
【請求項１３】
半導体デバイスであって、
基板上に配置された誘電体層内に第１トレンチを形成して、前記第１トレンチの内部に前記基板の表面を露出させることと、
前記第１トレンチの内部に、前記基板の前記表面を覆って第１半導体化合物層を形成することと、
前記第１半導体化合物層の上に第２半導体化合物層を形成することと、
前記第２半導体化合物層の上に第３半導体化合物層を形成することであって、前記第２半導体化合物層はエッチング剤に対して、前記第１半導体化合物層及び前記第３半導体化合物層のエッチング耐性よりも低いエッチング耐性を有する、第３半導体化合物層を形成することと、
少なくとも前記第２半導体化合物層及び前記第３半導体化合物層を部分的に露出させるために、前記誘電体層内に、前記第１トレンチの方向に対して実質的に垂直な方向に延びる第２トレンチを形成することと、
前記第１半導体化合物層が空隙によって前記第３半導体化合物層から分離されるように、前記第２半導体化合物層を選択的に除去することとを含むプロセスによって作製される、半導体デバイス。
【請求項１４】
前記第１、第２及び第３半導体化合物層は、ＩＩＩ−Ｖ族半導体化合物、ＩＩ−ＶＩ族半導体化合物、ＩＩ−ＶＩ族半導体化合物、ＩＩ−ＶＩ族又はＩＩＩ−Ｖ族からの二元化合物、ＩＩ−ＶＩ族又はＩＩＩ−Ｖ族からの三元化合物、ＩＩ−ＶＩ族又はＩＩＩ−Ｖ族からの四元化合物、及びこれらの混合物又は組み合わせから成る群から選択される、請求項１３に記載の半導体デバイス。
【請求項１５】
前記第２トレンチの内部に露出した前記第３半導体化合物層の周囲全体にゲート誘電体層を形成することと、
前記ゲート誘電体層の露出面の少なくとも一部分の周囲全体に金属ゲートを形成することとを更に含む、請求項１３に記載の半導体デバイス。
【手続補正書】
【提出日】平成30年5月11日(2018.5.11)
【手続補正１】
【補正対象書類名】特許請求の範囲
【補正対象項目名】請求項１１
【補正方法】変更
【補正の内容】
【請求項１１】
前記複数の電極は、Pt、Cu、Al、AgまたはAuを含む、請求項１に記載のコンデンサ。
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
ユーザプリファレンスおよび/またはデバイス構成情報を設定するための方法であって、
第1のユーザデバイスによって、ローカルワイヤレスネットワークを検出するステップと、
前記第1のユーザデバイスにおいて、前記ローカルワイヤレスネットワーク内の第2のユーザデバイスから要求された構成情報および／またはプリファレンス情報を受信するステップと、
前記第1のユーザデバイスによって、前記第2のユーザデバイスから受信された前記構成情報および/またはプリファレンス情報の少なくともサブセットで前記第1のユーザデバイスの構成情報および/またはプリファレンス情報を更新するステップであって、前記第1のユーザデバイスの前記構成情報および/またはプリファレンス情報は前記第1のユーザデバイスに記憶される、更新するステップとを含み、
前記第1のユーザデバイスは、ユーザから前記第1のユーザデバイスの前記構成情報および/またはプリファレンス情報を更新する命令を受信することなく、前記第1のユーザデバイスの前記構成情報および/またはプリファレンス情報を更新する、方法。
【請求項２】
前記第2のユーザデバイスは、前記第1のユーザデバイスの能力および/または構成情報に基づいて、前記第2のユーザデバイスが前記第1のユーザデバイスに類似の機能を有すると判断し、前記判断するのに応答して、前記第2のユーザデバイスの前記構成情報および/またはプリファレンス情報を前記第1のユーザデバイスに送る、請求項1に記載の方法。
【請求項３】
前記第2のユーザデバイスの能力および/または構成情報を表す値と重なり合う前記第1のユーザデバイスの能力および/または構成情報を表す値に基づいて、前記第2のユーザデバイスは前記第1のユーザデバイスに類似の機能を有すると判断する、請求項2に記載の方法。
【請求項４】
前記第2のユーザデバイスの前記構成情報は、前記第2のユーザデバイスのユーザによって入力されなかった構成情報を含む、請求項1に記載の方法。
【請求項５】
前記第2のユーザデバイスは、前記第2のユーザデバイスの前記構成情報を前記第1のユーザデバイスに送る前に、前記ユーザとの対話の履歴に基づいて前記第2のユーザデバイスの前記構成情報を更新する、請求項4に記載の方法。
【請求項６】
前記ユーザによって入力されなかった前記構成情報は、前記ユーザとの対話の履歴に基づいて前記第2のユーザデバイスが学習した前記ユーザのプリファレンスを含む、請求項4に記載の方法。
【請求項７】
前記ユーザによって入力されなかった前記構成情報は、前記ユーザのプリファレンスでない前記第2のユーザデバイスの1つまたは複数の構成を含む、請求項4に記載の方法。
【請求項８】
前記ユーザによって入力されなかった前記構成情報は、複数のユーザとの対話の履歴に基づいて前記第2のユーザデバイスが学習した前記第2のユーザデバイスの1つまたは複数の構成を含む、請求項4に記載の方法。
【請求項９】
前記第2のユーザデバイスは、前記第2のユーザデバイスの前記プリファレンス情報を前記第1のユーザデバイスに送る前に、前記第2のユーザデバイスのユーザとの対話の履歴に基づいて前記第2のユーザデバイスの前記プリファレンス情報を更新する、請求項1に記載の方法。
【請求項１０】
前記更新するステップは、前記第1のユーザデバイスの最初の構成を含む、請求項1に記載の方法。
【請求項１１】
前記検出するステップは、前記ローカルワイヤレスネットワークの最初の検出を含む、請求項1に記載の方法。
【請求項１２】
前記第1のユーザデバイスおよび前記第2のユーザデバイスは、前記ローカルワイヤレスネットワークの1人のユーザに属する、請求項1に記載の方法。
【請求項１３】
前記第2のユーザデバイスの前記構成情報および/または前記プリファレンス情報は、前記第2のユーザデバイス上にインストールされた1つまたは複数のアプリケーションの構成情報および/またはプリファレンス情報を含む、請求項1に記載の方法。
【請求項１４】
ユーザプリファレンスおよび/またはデバイス構成情報を設定するための装置であって、
第1のユーザデバイスにおいて、ローカルワイヤレスネットワークを検出し、前記ローカルワイヤレスネットワーク内の第2のユーザデバイスからから要求された構成情報および／またはプリファレンス情報を受信するように構成される送受信機と、
前記第2のユーザデバイスから受信された前記構成情報および/またはプリファレンス情報の少なくともサブセットで前記第1のユーザデバイスの構成情報および/またはプリファレンス情報を更新するように構成されるプロセッサであって、前記第1のユーザデバイスの前記構成情報および/またはプリファレンス情報は前記第1のユーザデバイスに記憶される、プロセッサとを備え、
前記プロセッサは、ユーザから前記第1のユーザデバイスの前記構成情報および/またはプリファレンス情報を更新する命令を受信することなく、前記第1のユーザデバイスの前記構成情報および/またはプリファレンス情報を更新する、装置。
【請求項１５】
ユーザプリファレンスおよび/またはデバイス構成情報を設定するための非一時的コンピュータ可読記憶媒体であって、
第1のユーザデバイスにローカルワイヤレスネットワークを検出させるための少なくとも1つの命令と、
前記第1のユーザデバイスに、前記ローカルワイヤレスネットワーク内の第2のユーザデバイスからから要求された構成情報および／またはプリファレンス情報を受信させるための少なくとも1つの命令と、
前記第1のユーザデバイスに、前記第2のユーザデバイスから受信された前記構成情報および/またはプリファレンス情報の少なくともサブセットで前記第1のユーザデバイスの構成情報および/またはプリファレンス情報を更新させるための少なくとも1つの命令であって、前記第1のユーザデバイスの前記構成情報および/またはプリファレンス情報は前記第1のユーザデバイスに記憶される、更新させるための少なくとも1つの命令とを備え、
前記第1のユーザデバイスは、ユーザから前記第1のユーザデバイスの前記構成情報および/または前記プリファレンス情報を更新する命令を受信することなく、前記第1のユーザデバイスの前記構成情報および/またはプリファレンス情報を更新する、非一時的コンピュータ可読記憶媒体。
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
注入ライナ装置であって、
注入ライナに形成された第一の複数の通路のために形成された第一の複数の排出口を有する第一の表面であって、前記第一の複数の通路のうちの１つ以上が、
前記第一の表面と平行に画定された平面に対して第一の角度をつけて前記第一の表面から延びる第一の部分を備え、前記第一の部分はまた、前記第一の複数の通路の第二の部分によって画定された平面に対して第二の角度をつけて前記第一の表面から延び、前記第二の部分は、前記第一の部分と前記第二の部分の間の交差点から延び、前記第二の部分は、前記第二の部分によって画定された前記平面に沿って延び、前記第一の部分と前記第二の部分の間の前記交差点は、前記注入ライナの中心と前記第一の表面の間に位置する、第一の表面と、
前記注入ライナに形成された第二の複数の通路のために形成された第二の複数の排出口を有する第二の表面であって、前記第二の複数の排出口が、前記第一の複数の排出口と同一平面上にある、第二の表面と
を含む、装置。
【請求項２】
前記第一の表面が、第二の軸から第一の半径で配置され、前記第二の表面が、軸から第二の半径で配置され、前記第一の半径が、前記第二の半径よりも小さい、請求項１に記載の装置。
【請求項３】
前記第一の複数の通路のうちの前記１つ以上の前記第一の部分が、上向きに１°から４５°の間の角度をつけられている、請求項１に記載の装置。
【請求項４】
前記第一の複数の排出口の密度が、前記第一の表面の端領域におけるよりも、前記第一の表面の中心領域において、より大きい、請求項１に記載の装置。
【請求項５】
前記第一の複数の排出口が、第二のガス源に流体連結されている前記第二の複数の排出口とは切り離されて、第一のガス源に流体連結されている、請求項１に記載の装置。
【請求項６】
注入ライナ装置であって、
前記注入ライナに形成された第一の複数の通路のために形成された第一の複数の排出口を有する第一の表面であって、前記第一の複数の通路のうちの１つ以上が、
前記第一の表面と平行に画定された平面に対して第一の角度をつけて前記第一の表面から延びる第一の部分を備え、前記第一の部分はまた、前記第一の複数の通路の第二の部分によって画定された平面に対して第二の角度をつけて前記第一の表面から延び、前記第二の部分は、前記第一の部分と前記第二の部分の間の交差点から延び、前記第二の部分は、前記第二の部分によって画定された前記平面に沿って延び、前記第一の部分と前記第二の部分の間の前記交差点は、前記注入ライナの中心と前記第一の表面の間に位置する、第一の表面と、
前記注入ライナに形成された第二の複数の通路のために形成された第二の複数の排出口を有する第二の表面であって、前記第二の複数の排出口が、前記第一の複数の排出口より下に配置されている、第二の表面と、
前記注入ライナに形成された前記第一の複数の通路のために形成された前記第一の複数の排出口を有し、前記第一の表面と同一平面上にある第三の表面であって、第三の表面に隣接して形成された前記第一の複数の通路のうちの１つ以上が、
前記第一の表面と平行に画定された平面に対して第一の角度をつけて前記第一の表面から延びる第一の部分を備え、前記第一の部分はまた、前記第一の複数の通路の第二の部分によって画定された平面に対して第二の角度をつけて前記第一の表面から延び、前記第二の部分は、前記第一の部分と前記第二の部分の間の交差点から延び、前記第二の部分は、前記第二の部分によって画定された前記平面に沿って延び、前記第一の部分と前記第二の部分の間の前記交差点は、前記注入ライナの中心と前記第一の表面の間に位置する、第三の表面と
を含む、装置。
【請求項７】
前記第一の表面が、軸から第一の半径で配置され、前記第二の表面が、前記軸から、前記第一の半径と異なる第二の半径で配置され、前記第三の表面が、前記軸から、前記第一の半径及び前記第二の半径と異なる第三の半径で配置されている、請求項６に記載の装置。
【請求項８】
前記第一の半径が、前記第二の半径よりも小さく、前記第三の半径が、前記第一の半径よりも小さい、請求項７に記載の装置。
【請求項９】
前記第一の複数の通路のうちの前記１つ以上の前記第一の部分が、上向きに１°から４５°の間の角度をつけられている、請求項６に記載の装置。
【請求項１０】
前記第一の複数の排出口の密度が、前記第三の表面の端領域におけるよりも、前記第三の表面の中心領域において、より大きい、請求項６に記載の装置。
【請求項１１】
前記第一の複数の排出口が、第二のガス源に流体連結されている前記第二の複数の排出口とは切り離されて、第一のガス源に流体連結されている、請求項６に記載の装置。
【請求項１２】
注入ライナ装置であって、
注入ライナに形成された第一の複数の通路のために形成された第一の複数の排出口を有する第一の表面を有する注入ライナであって、前記第一の複数の通路のうちの１つ以上が、
前記第一の表面と平行に画定された平面に対して第一の角度をつけて前記第一の表面から延びる第一の部分を備え、前記第一の部分はまた、前記第一の複数の通路の第二の部分によって画定された平面に対して第二の角度をつけて前記第一の表面から延び、前記第二の部分は、前記第一の部分と前記第二の部分の間の交差点から延び、前記第二の部分は、前記第二の部分によって画定された前記平面に沿って延び、前記第一の部分と前記第二の部分の間の前記交差点は、前記注入ライナの中心と前記第一の表面の間に位置する、注入ライナと、
前記注入ライナに形成された第二の複数の通路のために形成された第二の複数の排出口を有する第二の表面であって、前記第二の複数の排出口が、前記第一の複数の排出口より下に配置されている、第二の表面と
を含む、装置。
【請求項１３】
前記第一の複数の通路のうちの前記１つ以上の前記第一の部分が、上向きに１°から４５°の間の角度をつけられている、請求項１２に記載の装置。
【請求項１４】
前記第一の複数の排出口の密度が、前記第一の表面の端領域におけるよりも、前記第一の表面の中心領域において、より大きい、請求項１２に記載の装置。
【請求項１５】
前記第一の複数の排出口が、前記第二の複数の通路を経由して第二のガス源に流体連結されている前記第二の複数の排出口とは切り離されて、前記第一の複数の通路を経由して第一のガス源に流体連結されている、請求項１２に記載の装置。
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
ビデオデータのブロックの第1の行のパレットインデックスを決定するステップであって、前記パレットインデックスがビデオデータの前記ブロックをコーディングするためのパレットに対応し、前記第1の行の前記パレットインデックスが前記パレット中の少なくとも1つの色値と関連付けられる1つまたは複数のインデックスと、前記パレット中の色値と関連付けられないエスケープサンプルを示すインデックスとを含む、ステップと、
前記第1の行の前記パレットインデックスに関連してビデオデータの前記ブロックの第2の行のパレットインデックスのランをコーディングするステップであって、前記ランが、前記少なくとも1つの色値と関連付けられる前記1つまたは複数のパレットインデックスと、エスケープサンプルを示す前記インデックスとを含む、ステップとを備える、方法。
【請求項２】
前記第1の行が、ビデオデータの前記ブロック中の前記第2の行の上に位置し、前記第1の行の前記パレットインデックスに関連して前記第2の行のパレットインデックスの前記ランをコーディングするステップが、CopyFromTopパレットモードを使用して前記第2の行のパレットインデックスの前記ランをコーディングするステップを備える、請求項1に記載の方法。
【請求項３】
前記第1の行に含まれるエスケープサンプルを示す前記インデックスに対する少なくとも1つの第1の色値を示すデータをコーディングするステップと、
前記ランに含まれるエスケープサンプルを示す前記インデックスに対する少なくとも1つの第2の色値を示すデータをコーディングするステップとをさらに備え、前記少なくとも1つの第2の色値が前記少なくとも1つの第1の色値とは異なる、請求項1に記載の方法。
【請求項４】
前記第1の行の前記パレットインデックスがエスケープサンプルを示す第2のインデックスを含み、前記ランが前記第2のインデックスを含み、
前記第1の行に含まれる第2のインデックスに対する少なくとも1つの第3の色値を示すデータをコーディングするステップと、
前記ランに含まれる第2のインデックスに対する前記少なくとも1つの第3の色値を示すデータをコーディングするステップとをさらに備える、請求項3に記載の方法。
【請求項５】
前記パレット中の色値と関連付けられる前記1つまたは複数のインデックスをコーディングするステップを含む、前記パレットをコーディングするステップと、
エスケープサンプルを示す前記インデックスが前記パレットの数値的に最高のインデックスを有するように、エスケープサンプルを示す前記インデックスを前記パレットに追加するステップとをさらに備える、請求項1に記載の方法。
【請求項６】
前記第2の行の中のパレットインデックスの前記ランに後続する第3のインデックスに対するパレットモードを、前記第3のインデックスの上側の隣接インデックスのパレットモードに基づいて決定するステップをさらに備える、請求項1に記載の方法。
【請求項７】
前記第3のインデックスに対する前記パレットモードを決定するステップが、上側の隣接サンプルがエスケープサンプルであることに基づいて、前記第3のインデックスに対してValueパレットモードを決定するステップを備える、請求項6に記載の方法。
【請求項８】
前記第3のインデックスに対して前記Valueパレットモードを決定するステップが、ビットストリームから前記Valueパレットモードを示すものをコーディングすることなく前記Valueパレットモードを決定するステップを備える、請求項7に記載の方法。
【請求項９】
コーディングするステップが符号化するステップを備え、前記第2の行のパレットインデックスの前記ランを符号化するステップが、
色の前記パレットを示すデータを符号化するステップと、
エスケープサンプルを示す前記インデックスに対する色値を符号化するステップと、
前記第2の行の第1のサンプルに対するパレットモードを示すデータを符号化するステップとを備える、請求項1に記載の方法。
【請求項１０】
コーディングするステップが復号するステップを備え、前記第2の行のパレットインデックスの前記ランを復号するステップが、
符号化されたビットストリームから、色の前記パレットを示すデータを復号するステップと、
エスケープサンプルを示す前記インデックスに対する色値を復号するステップと、
前記第2の行の第1のサンプルに対するパレットモードを示すデータを復号するステップと、
色の前記パレットと、エスケープサンプルを示す前記インデックスに対する前記色値とを使用して、前記ランのサンプルに対するサンプル値を決定するステップとを備える、請求項1に記載の方法。
【請求項１１】
ビデオデータを処理するための装置であって、
ビデオデータのブロックの第1の行のパレットインデックスを決定するための手段であって、前記パレットインデックスがビデオデータの前記ブロックをコーディングするためのパレットに対応し、前記第1の行の前記パレットインデックスが前記パレット中の少なくとも1つの色値と関連付けられる1つまたは複数のインデックスと、前記パレット中の色値と関連付けられないエスケープサンプルを示すインデックスとを含む、手段と、
前記第1の行の前記パレットインデックスに関連してビデオデータの前記ブロックの第2の行のパレットインデックスのランをコーディングするための手段であって、前記ランが、前記少なくとも1つの色値と関連付けられる前記1つまたは複数のパレットインデックスと、エスケープサンプルを示す前記インデックスとを含む、手段とを備える、装置。
【請求項１２】
前記第1の行が、ビデオデータの前記ブロック中の前記第2の行の上に位置し、前記第1の行の前記パレットインデックスに関連して前記第2の行のパレットインデックスの前記ランをコーディングするための前記手段が、CopyFromTopパレットモードを使用して前記第2の行のパレットインデックスの前記ランをコーディングするための手段を備える、請求項11に記載の装置。
【請求項１３】
前記コーディングするための手段はエンコーダである、請求項11に記載の装置。
【請求項１４】
前記コーディングするための手段はデコーダである、請求項11に記載の装置。
【請求項１５】
命令を記憶したコンピュータ可読記憶媒体であって、前記命令が、実行されると、1つまたは複数のプロセッサに、請求項1乃至10の何れか1項に記載の方法を実施させる、コンピュータ可読記憶媒体。
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
ビデオデータをコーディングする方法であって、
ビデオデータのブロックのピクセルをコーディングするために使用される色のパレット中の色値に前記ピクセルの値を関連付けるパレットインデックスと関連付けられる前記ピクセルに対して、前記ピクセルの前記パレットインデックスを用いてコーディングされる複数のパレットインデックスの１つのランのランレングスを決定することと、
ビデオデータの前記ブロック中のピクセルの数を決定することと、
前記ブロックのピクセルの複数のパレットインデックスを走査するために使用される走査順序に基づいて、ビデオデータの前記ブロック中の前記ピクセルの位置を決定することと、
前記ブロックのピクセルの前記数から前記ピクセルの前記決定された位置を引き、さらに１を引いたものに基づいて、前記ピクセルの前記パレットインデックスを用いてコーディングされることが可能である、前記ブロックのピクセルの複数のパレットインデックスの最大のランの最大ランレングスを決定することと、
前記決定された最大ランレングスに基づいて、前記ランレングスを示すデータをコーディングすることと、
を備える方法。
【請求項２】
前記ランレングスを示す前記データをコーディングすることは、ｋ次トランケーテッド指数ゴロム（ＴＥＧｋ）符号を使用して、前記データをコーディングすることを備え、前記ＴＥＧｋ符号はユーナリープレフィックスとバイナリサフィックスとを備える、請求項１に記載の方法。
【請求項３】
前記ＴＥＧｋ符号を使用して前記データをコーディングすることは、
【数１】
2017520160.tif 000001
に対応するトランケーテッド・ユーナリー符号に基づいて前記ユーナリープレフィックスを決定することを備え、ここで、ｘは複数のパレットインデックスの前記ランの前記ランレングスの値であり、前記ユーナリープレフィックスのトレイリング二進値１が、
【数２】
2017520160.tif 000002
であるときにトランケートされ、
Ｘｍａｘは前記最大ランレングスである、請求項２に記載の方法。
【請求項４】
前記ユーナリープレフィックスがトランケートされることに基づいて、ｘ−２k（２l(x)−１）というトランケーテッド・バイナリ表現として前記バイナリサフィックスを決定することをさらに備え、前記トランケーテッド・バイナリ表現の最大値は、Ｘｍａｘ−２k（２l(x)−１）である、請求項３に記載の方法。
【請求項５】
前記ユーナリープレフィックスがトランケートされないことに基づいて、ｋ＋ｌ（ｘ）ビットを使用して、ｘ−２k（２l(x)−１）というバイナリ表現として前記バイナリサフィックスを決定することをさらに備える、請求項３に記載の方法。
【請求項６】
ｋ次トランケーテッド指数ゴロム符号を使用して前記データをコーディングすることは、２次トランケーテッド指数ゴロム符号を使用して前記データをコーディングすることを備える、請求項２に記載の方法。
【請求項７】
前記ランレングスを示す前記データをコーディングすることは、前記ランレングスのための０より大きいフラグをコーディングすることと、前記ランレングスのための１より大きいフラグをコーディングすることと、前記ランレングスのための２より大きいフラグをコーディングすることと、前記ＴＥＧｋ符号を使用して前記ランレングスのための残りのビンをコーディングすることとを備える、請求項２に記載の方法。
【請求項８】
前記ランレングスを示す前記データをコーディングすることは、前記ランレングスのための０より大きいフラグをコーディングすることと、前記ＴＥＧｋ符号についての最大値が前記最大ランレングスから１を引いたものに等しく設定された前記ＴＥＧｋ符号を使用して、前記ランレングスから１を引いたものを示すデータをコーディングすることと、を備え、前記ＴＥＧｋ符号がＴＥＧ０符号を備えるように、ｋは０に等しい、請求項２に記載の方法。
【請求項９】
前記ランレングスを示す前記データをコーディングすることは、前記データを符号化することを備え、前記方法は、さらに、
色の前記パレットを示すデータを符号化することと、
前記パレットインデックスと関連付けられる前記ピクセルに対して、前記ピクセルを符号化するために使用されるパレットモードを示すデータを符号化することと、備える、請求項１に記載の方法。
【請求項１０】
前記ランレングスを示す前記データをコーディングすることは、前記データを復号することを備え、前記方法は、さらに、
符号化されたビットストリームから、色の前記パレットを示すデータを取得することと、
前記パレットインデックスと関連付けられる前記ピクセルに対して、前記ピクセルを符号化するために使用されるパレットモードを示すデータを取得することと、
前記パレットモードと色の前記パレットとを使用して前記ピクセルの前記値を決定することと、を備える、請求項１に記載の方法。
【請求項１１】
ビデオデータを処理するための装置であって、
ビデオデータのブロックのピクセルをコーディングするために使用される色のパレット中の色値に前記ピクセルの値を関連付けるパレットインデックスと関連付けられる前記ピクセルに対して、前記ピクセルの前記パレットインデックスを用いてコーディングされる複数のパレットインデックスの１つのランのランレングスを決定するための手段と、
ビデオデータの前記ブロック中のピクセルの数を決定するための手段と、
前記ブロックのピクセルの複数のパレットインデックスを走査するために使用される走査順序に基づいて、ビデオデータの前記ブロック中の前記ピクセルの位置を決定するための手段と、
前記ブロックのピクセルの前記数から前記ピクセルの前記決定された位置を引き、さらに１を引いたものに基づいて、前記ピクセルの前記パレットインデックスを用いてコーディングされることが可能である、前記ブロックのピクセルの複数のパレットインデックスの最大のランの最大ランレングスを決定するための手段と、
前記決定された最大ランレングスに基づいて、前記ランレングスを示すデータをコーディングするための手段と、
を備える装置。
【請求項１２】
実行されると、１つまたは複数のプロセッサに、請求項１〜１０のうちのいずれか一項の方法を実行させる命令を記憶した、非一時的コンピュータ可読媒体。
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
ビデオデータのブロックのパレットインデックスのランのランレングスを示すラン値を決定するステップであって、前記パレットインデックスが、ビデオデータの前記ブロックをコーディングするための色値のパレット中の色値と関連付けられる、ステップと、
前記パレットインデックスに基づいて前記ラン値を表すデータのコンテキスト適応コーディングのためのコンテキストを決定するステップと、
前記決定されたコンテキストを使用してビットストリームからラン値を表す前記データをコーディングするステップとを備える、方法。
【請求項２】
前記ラン値を表す前記データをコーディングするステップが、前記ラン値が0より大きいかどうかを示す第1のビンをコーディングするステップと、前記ラン値が1より大きいかどうかを示す第2のビンをコーディングするステップと、前記ラン値が2より大きいかどうかを示す第3のビンをコーディングするステップとを備える、請求項1に記載の方法。
【請求項３】
前記パレットインデックスに基づいて前記コンテキストを決定するステップが、前記パレットインデックスに基づいて3つのコンテキストから選択するステップを備える、請求項1に記載の方法。
【請求項４】
前記ラン値を表す前記データをコーディングするステップが、前記ラン値が0より大きいかどうかを示す第1のビンをコーディングするステップと、前記ラン値が1より大きいかどうかを示す第2のビンをコーディングするステップと、前記ラン値が2より大きいかどうかを示す第3のビンをコーディングするステップとを備え、前記3つのコンテキストから選択するステップが、
前記パレットインデックスが0であることに基づいて、前記第1のビン、前記第2のビン、および前記第3のビンの少なくとも1つをコーディングするための前記3つのコンテキストの第1のコンテキストを選択するステップと、
前記パレットインデックスが1または2であることに基づいて、前記第1のビン、前記第2のビン、および前記第3のビンの少なくとも1つをコーディングするための前記3つのコンテキストの第2のコンテキストを選択するステップと、
前記パレットインデックスが2より大きいことに基づいて、前記第1のビン、前記第2のビン、および前記第3のビンの少なくとも1つをコーディングするための前記3つのコンテキストの第3のコンテキストを選択するステップとを備える、請求項3に記載の方法。
【請求項５】
前記パレットインデックスに基づいて前記コンテキストを決定するステップが、前記パレットインデックスに基づいて2つのコンテキストから選択するステップを備える、請求項1に記載の方法。
【請求項６】
前記2つのコンテキストから選択するステップが、
前記パレットインデックスが0であることに基づいて、前記2つのコンテキストの第1のコンテキストを選択するステップと、
前記パレットインデックスが0以外の任意の値であることに基づいて、前記2つのコンテキストの第2のコンテキストを選択するステップとを備える、請求項5に記載の方法。
【請求項７】
前記ビットストリームから前記パレットインデックスを表すデータをコーディングするステップをさらに備える、請求項1に記載の方法。
【請求項８】
前記パレットインデックスが調整されたパレットインデックスを備え、前記ビットストリームから前記調整されたパレットインデックスを表す前記データを構文解析するステップをさらに備える、請求項1に記載の方法。
【請求項９】
前記コンテキストを決定するステップがさらに、色値の前記パレットのサイズまたは前記ブロックのサイズに基づいて前記コンテキストを決定するステップを備える、請求項1に記載の方法。
【請求項１０】
前記ラン値を表す前記データをコーディングするステップが前記データを符号化するステップを備え、
色の前記パレットを示すデータを符号化するステップと、
前記パレットインデックスと関連付けられる画素に対して、前記画素を符号化するために使用されるパレットモードを示すデータを符号化するステップとをさらに備える、請求項1に記載の方法。
【請求項１１】
前記ラン値を表す前記データをコーディングするステップが前記データを復号するステップを備え、
符号化されたビットストリームから、色の前記パレットを示すデータを取得するステップと、
色の前記パレットを使用して、前記ランの画素およびサンプルの前記値を決定するステップとをさらに備える、請求項1に記載の方法。
【請求項１２】
ビデオデータを処理するための装置であって、
ビデオデータのブロックのパレットインデックスのランのランレングスを示すラン値を決定するための手段であって、前記パレットインデックスが、ビデオデータの前記ブロックをコーディングするための色値のパレット中の色値と関連付けられる、手段と、
前記パレットインデックスに基づいて前記ラン値を表すデータのコンテキスト適応コーディングのためのコンテキストを決定するための手段と、
前記決定されたコンテキストを使用してビットストリームからラン値を表す前記データをコーディングするための手段とを備える、装置。
【請求項１３】
前記パレットインデックスに基づいて前記コンテキストを決定するための前記手段が、前記パレットインデックスに基づいて3つのコンテキストから選択するための手段を備える、請求項12に記載の装置。
【請求項１４】
前記ラン値を表す前記データをコーディングするための前記手段が、前記ラン値が0より大きいかどうかを示す第1のビンをコーディングするための手段と、前記ラン値が1より大きいかどうかを示す第2のビンをコーディングするための手段と、前記ラン値が2より大きいかどうかを示す第3のビンをコーディングするための手段とを備え、前記3つのコンテキストから選択するための前記手段が、
前記パレットインデックスが0であることに基づいて、前記第1のビン、前記第2のビン、および前記第3のビンの少なくとも1つをコーディングするための前記3つのコンテキストの第1のコンテキストを選択するための手段と、
前記パレットインデックスが1または2であることに基づいて、前記第1のビン、前記第2のビン、および前記第3のビンの少なくとも1つをコーディングするための前記3つのコンテキストの第2のコンテキストを選択するための手段と、
前記パレットインデックスが2より大きいことに基づいて、前記第1のビン、前記第2のビン、および前記第3のビンの少なくとも1つをコーディングするための前記3つのコンテキストの第3のコンテキストを選択するための手段とを備える、請求項13に記載の装置。
【請求項１５】
請求項1乃至11の何れか1項に記載の方法を少なくとも1つのコンピュータに実施させる命令を含む、コンピュータプログラム。